(57)【要約】      （修正有）【課題】固定金具を用いてケースを所定の固定領域に固定するケース固定構造において、固定金具をケースに対して取り付ける際に、削り屑が発生することを防止する。【解決手段】ケース３に設けられたガイド部１１に沿わせてスライドすることにより当該ケース３に取り付けられる固定金具１３を用いて上記ケース３を固定領域に固定するケース固定構造１０であって、突起１２ａを有し、ケース３と一体的に設けられると共に周囲に設けられたスリットによって撓むことによる変形が許容される可撓性係止爪部１２と、固定金具１３に設けられると共に可撓性係止爪部１２の突起１２ａが係止される係止穴１４とを備える。【選択図】図１
2012062009.tif 000002
【特許請求の範囲】
【請求項１】
ケースに設けられたガイド部に沿わせてスライドすることにより当該ケースに取り付けられる固定金具を用いて前記ケースを固定領域に固定するケース固定構造であって、
突起を有し、前記ケースと一体的に設けられると共に周囲に設けられたスリットによって撓むことによる変形が許容される可撓性係止爪部と、
前記固定金具に設けられると共に前記可撓性係止爪部の前記突起が係止される係止穴と
を備えることを特徴とするケース固定構造。
【請求項２】
前記ケースが複数の分割パーツを組み立てることによって形成され、前記スリットが前記分割パーツ同士の間の隙間によって形成されていることを特徴とする請求項１記載のケース固定構造。
【請求項３】
前記固定金具は、前記ガイド部に沿ってスライドしている最中に前記可撓性係止爪部の前記突起が通過する溝部を有することを特徴とする請求項１または２記載のケース固定構造。
【請求項４】
前記固定金具は、
一部が湾曲することにより形成されると共に当該固定金具を前記ガイド部に沿わせてスライドする際に把持される把持部と、
前記把持部を形成するために湾曲された領域を補強する補強リブと
を備えることを特徴とする請求項１〜３いずれかに記載のケース固定構造。
【発明の詳細な説明】
【技術分野】
【０００１】
本発明は、ケース固定構造に関するものである。
【背景技術】
【０００２】
例えば、車両等に設置されるＥＣＵ（Electronic Control Unit）等の電子制御装置は、電子回路基板と、当該電子回路基板を収容するケースとを有しており、ケースが車両に対して固定されて車両等に搭載されている。
【０００３】
このようなＥＣＵを車両の所定の固定領域に固定する際には、例えば、特許文献１や特許文献２に示すような固定構造が用いられている。
具体的には、このような固定構造は、固定金具を用いてケースを車両の固定領域に固定している。
【先行技術文献】
【特許文献】
【０００４】
【特許文献１】特開平９−２０７６８３号公報
【特許文献２】特開２００４−１７９２８０号公報
【発明の概要】
【発明が解決しようとする課題】
【０００５】
ところで、上述の固定金具には係止穴が設けられ、ケースには突起が設けられている。そして、固定金具をケースに対して取り付ける場合には、ケースに設けられた支持部としても機能するガイド部に沿わせて固定金具をスライドし、上記突起を係止穴に係止させる。
これによって、固定金具がガイド部に支持され、さらにケースに設けられた突起が係止穴に入り込むことによって固定金具がケースに対して位置決めされて固定される。
【０００６】
ところが、固定金具を固定する際には、ケースに設けられた突起が固定金具の係止穴に入り込んでいる必要があることから、係止穴が開口された固定金具の表面は、固定金具をスライドさせる際に突起と干渉することとなる。
ケースが樹脂によって形成され、また固定金具が厚さ数ミリ程度の金属板によって形成されているため、係止穴が開口された固定金具の表面が固定金具をスライドさせる際に突起と干渉する場合であっても、ケース及び固定金具の少なくとも一方が僅かに変形することで、突起が係止穴に入り込むまで固定金具をスライドさせることはできる。
ただし、ケースあるいは固定金具を変形させるためには大きな力を加える必要があり、この際、突起の一部が固定金具に削られ、削り屑が発生する場合がある。このような削り屑が発生し、当該削り屑が固定金具とケースとの間に残存した場合には、固定金具がケースに対して僅かに浮き上がり、固定金具を車両の固定領域に正確に固定することができない恐れがある。
【０００７】
本発明は、上述する問題点に鑑みてなされたもので、固定金具を用いてケースを所定の固定領域に固定するケース固定構造において、固定金具をケースに対して取り付ける際に、削り屑が発生することを防止することを目的とする。
【課題を解決するための手段】
【０００８】
上記課題を解決するための手段として、本発明は、以下の構成を採用する。
第１の発明は、ケースに設けられたガイド部に沿わせてスライドすることにより当該ケースに取り付けられる固定金具を用いて上記ケースを固定領域に固定するケース固定構造であって、突起を有し、上記ケースと一体的に設けられると共に周囲に設けられたスリットによって撓むことによる変形が許容される可撓性係止爪部と、上記固定金具に設けられると共に上記可撓性係止爪部の上記突起が係止される係止穴とを備えるという構成を採用する。
第２の発明は、上記第１の発明において、上記ケースが複数の分割パーツを組み立てることによって形成され、上記スリットが上記分割パーツ同士の間の隙間によって形成されているという構成を採用する。
第３の発明は、上記第１または第２の発明において、上記固定金具が、上記ガイド部に沿ってスライドしている最中に上記可撓性係止爪部の上記突起が通過する溝部を有するという構成を採用する。
第４の発明は、上記第１〜第３いずれかの発明において、上記固定金具が、一部が湾曲することにより形成されると共に当該固定金具を上記ガイド部に沿わせてスライドする際に把持される把持部と、上記把持部を形成するために湾曲された領域を補強する補強リブとを備えるという構成を採用する。
【発明の効果】
【０００９】
本発明によれば、周囲に設けられたスリットによって、撓みによる変形が許容された可撓性係止爪部を有し、当該可撓性係止爪部に固定金具の係止穴に係止される突起が備えられている。
このため、ガイド部に沿わせて固定金具をスライドした際に、固定金具の表面が突起と干渉した場合であっても、可撓性係止爪部が撓むことにより変形し、これによって突起を固定金具の移動範囲から逃がすことが可能となる。
このような突起が固定金具の移動範囲から逃げることにより、大きな力を加えてケース及び固定金具を変形させなくとも、突起を係止穴に係止して固定金具をケースに対して取り付けることが可能となる。
この結果、本発明によれば、固定金具によって突起が削られることを防止し、固定金具をケースに対して取り付ける際に、削り屑が発生することを防止することが可能となる。
【図面の簡単な説明】
【００１０】
【図１】本発明の一実施形態におけるケース固定構造と、当該固定構造によって不図示の固定領域に固定される電子制御装置とを示す分解斜視図である。
【図２】下側ケースと上側ケースとが嵌合された状態であり、本発明の一実施形態におけるケース固定構造が有するガイド部及び可撓性係止爪部とを含む拡大斜視図である。
【図３】本発明の一実施形態におけるケース固定構造が有する固定金具の斜視図である。
【図４】本発明の一実施形態におけるケース固定構造において、固定金具がガイド部間に挿入されてケースに取り付けられた状態を示す拡大斜視図である。
【発明を実施するための形態】
【００１１】
以下、図面を参照して、本発明に係るケース固定構造の一実施形態について説明する。なお、以下の図面において、各部材を認識可能な大きさとするために、各部材の縮尺を適宜変更している。
【００１２】
図１は、本実施形態のケース固定構造１０と、当該固定構造１０によって不図示の固定領域に固定される電子制御装置１とを示す分解斜視図である。
本実施形態の固定構造１０によって、車両等に設けられた固定領域に固定される電子制御装置１は、例えば車両に搭載されるＥＣＵであり、図１に示すように、電子回路基板２と、ケース３とを備えている。
【００１３】
電子回路基板２は、コネクタ２ａや半導体素子等の不図示の電子素子が複数実装されたプリント基板であり、矩形状に形状設定されている。この電子回路基板２は、４つの隅部の各々に対して嵌合穴２ｂが設けられている。
【００１４】
ケース３は、電子回路基板２を収容して保護するためのものであり、下側ケース３ａ（第１パーツ）と、上側ケース３ｂ（第２パーツ）との２つの分割パーツを有し、上側ケース３ｂが下側ケース３ａに対して嵌合されることによって構成されている。
そして、下側ケース３ａに対しては、電子回路基板２の嵌合穴２ｂに対して嵌合する嵌合ピン３ｃが嵌合穴２ｂと同数設けられている。
【００１５】
また、下側ケース３ａには、上側ケース３ｂと嵌め合わされる際に当該上側ケース３ｂと当接する領域の一部に、傾斜面３ａ１が設けられている。
この傾斜面３ａ１は、下側ケース３ａと上側ケース３ｂとを嵌め合わせる際の嵌合方向に対して傾斜されており、下側ケース３ａの下側に向かうに連れて下側ケース３ａの外側に向かう傾斜面となっている。なお、当該傾斜面３ａ１は、下側ケース３ａの側面に対して凹んだ凹部の壁面として設けられている。このような傾斜面３ａ１を備えていることによって、下側ケース３ａと上側ケース３ｂとを嵌め合わせる際に、上側ケース３ｂが傾斜面３ａ１に当接して案内され、下側ケース３ａと上側ケース３ｂとを精度高く位置合わせすることができ、下側ケース３ａと上側ケース３ｂとを容易かつ確実に嵌め合わせることが可能となる。
【００１６】
本実施形態のケース固定構造１０は、上述のような電子制御装置１のケース３を車両等の所定の固定領域に対して固定するものであり、ガイド部１１と、可撓性係止爪部１２と、固定金具１３と、係止穴１４とを備えている。なお、本実施形態のケース固定構造１０は、ケース３を固定するために２つ設けられている。２つのケース固定構造の構成は同一であるため、そのうち１つについて以下に説明する。
【００１７】
ガイド部１１は、固定金具１３をケース３に対してスライドして取り付ける際に当該固定金具１３を案内すると共に、ケース３に対して固定される固定金具１３を支持するものであり、ケース３の側面においてケース３と一体的に設けられている。
【００１８】
図２は、下側ケース３ａと上側ケース３ｂとが嵌合された状態におけるガイド部１１及び可撓性係止爪部１２とを含む拡大斜視図である。
この図に示すように、本実施形態においてガイド部１１は、平行して２つ設けられており、各々が下側ケース３ａと上側ケース３ｂとの嵌合方向に延在して設けられている。なお、各ガイド部１１は、下側ケース３ａと上側ケース３ｂとの両方に亘って設けられており、下側ケース３ａと上側ケース３ｂとが取り外された場合には、２つに分割される。
【００１９】
可撓性係止爪部１２は、ガイド部１１同士に挟まれた中央部にケース３と一体的に設けられており、ケース３の外側と内側とを結ぶ方向に湾曲するように板状部材から成り、ケース３の外側方向に突出する突起１２ａを有している。
図２に示すように、可撓性係止爪部１２の周りにはスリット１５が設けられており、当該スリット１５によって、可撓性係止爪部１２に対して撓むことによる変形が許容されている。
なお、図１及び図２に示すように、可撓性係止爪部１２は、下側ケース３ａに対して設けられている。また、図１に示すように、下側ケース３ａと上側ケース３ｂとは各々が凹部１６を有している。これらの凹部１６は、下側ケース３ａと上側ケース３ｂが嵌合された際に一体となる位置に設けられており、下側ケース３ａと上側ケース３ｂが嵌合された際にはスリット１５を形成する。つまり、本実施形態のケース固定構造１０において、スリット１５は、下側ケース３ａと上側ケース３ｂとの間の隙間によって形成されている。
【００２０】
突起１２ａは、固定金具１３がケース３に対して正しい位置に配置された場合に係止穴１４に係止されるものである。なお、当該突起１２ａは、上方からスライドしてケース３に対して取り付けられる固定金具１３との干渉を避けるために、上方から下方に向けて徐々に突出量を増やすように形状設定されている。
【００２１】
図３は、固定金具１３の斜視図であり、（ｂ）が（ａ）の裏面側を示している。この図に示すように、固定金具１３は、ケース３と上述の固定領域とを連結するためのものであり、湾曲された板形状を有している。
この固定金具１３は、ガイド部１１によって案内及び支持されるスライド部１３ａと、固定金具１３がスライドされる際に作業者によって把持されると共に上述の固定領域に固定される把持部１３ｂと、固定金具１３がスライドされる際に可撓性係止爪部１２の突起１２ａが通過する溝部１３ｃと、固定金具１３の強度を向上する補強リブ１３ｄとを有している。
【００２２】
スライド部１３ａは、２つのガイド部１１同士の離間距離よりも狭くかつ２つのガイド部１１に両端が係止可能な幅とされ、その略中央部に係止穴１４が設けられている。なお、スライド部１３ａは、頂部１３ａ１が２つのガイド部１１同士の離間距離よりも幅広に形成され、上方からガイド部１１間に挿入し、頂部１３ａ１がガイド部１１の上面に当接することによって位置決めされる。そして、このようにスライド部１３ａが位置決めされた際には、係止穴１４に可撓性係止爪部１２の突起１２ａが入り込む。
【００２３】
把持部１３ｂは、湾曲領域Ｒを介してスライド部１３ａと接続されており、スライド部１３ａがガイド部１１間に挿入される際に、ケース３の外側に向かって突出することとなる。なお、ケース固定構造１０は、不図示のボルトやナット等からなる締結部材を有しており、当該締結部材によって固定金具１３を固定領域に対して締結して固定している。
【００２４】
溝部１３ｃは、スライド部１３ａのケース３に対向配置される側の表面を凹ませることによって形成されている。
また、補強リブ１３ｄは、上記溝部１３ｃと反対側の表面を膨らませることによって形成されている。
そして、本実施形態のケース固定構造１０においては、溝部１３ｃと補強リブ１３ｄとは表裏一体に形成されており、固定金具１３の一部をプレス加工等によって変形させることによって、一度に形成可能とされている。
【００２５】
このような構成を有する本実施形態のケース固定構造１０では、図４に示すように固定金具１３をガイド部１１間にスライドして挿入することによりケース３に取り付け、この固定金具１３を固定領域に締結等により固定することで、ケース３すなわち電子制御装置１を固定領域に固定する。
【００２６】
ここで、本実施形態のケース固定構造１０においては、突起１２ａを有すると共に周囲に設けられたスリット１５によって撓むことによる変形が許容される可撓性係止爪部１２と、固定金具１３に設けられると共に可撓性係止爪部１２の突起１２ａが係止される係止穴１４とを備える。
つまり、本実施形態のケース固定構造１０によれば、周囲に設けられたスリット１５によって、撓みによる変形が許容された可撓性係止爪部１２を有し、可撓性係止爪部１２に固定金具１３の係止穴１４に係止される突起１２ａが備えられている。
このため、ガイド部１１に沿わせて固定金具１３をスライドした際に、固定金具１３の表面が突起１２ａと干渉した場合であっても、可撓性係止爪部１２が撓むことにより変形し、これによって突起１２ａを固定金具１３の移動範囲から逃がすことが可能となる。
このような突起１２ａが固定金具１３の移動範囲から逃げることにより、大きな力を加えてケース３及び固定金具１３を変形させなくとも、突起１２ａを係止穴に係止して固定金具１３をケース３に対して取り付けることが可能となる。
この結果、本実施形態のケース固定構造１０によれば、固定金具１３によって突起１２ａが削られることを防止し、固定金具１３をケース３に対して取り付ける際に、削り屑が発生することを防止することが可能となる。
【００２７】
また、本実施形態のケース固定構造１０によれば、スリット１５が下側ケース３ａと上側ケース３ｂとの間の隙間によって形成されている。
このため、下側ケース３ａ及び上側ケース３ｂの少なくともいずれかに凹部１６を設け、下側ケース３ａと上側ケース３ｂとを嵌合させることによってスリット１５を形成することができる。
凹部１６を有する下側ケース３ａ及び上側ケース３ｂは、従来の凹部１６を有していない下側ケース及び上側ケースを作製する際の型を多少変更するのみで作製することができる。一方、下側ケースあるいは上側ケースにスリットを設ける場合には、下側ケースあるいは上側ケースの作製の際に別途スライド金型を用いたり、後加工を行う必要があり、コストの増加を招く。
したがって、本実施形態のケース固定構造１０によれば、低コストでケース３と固定領域との固定を行うことができる。
【００２８】
また、本実施形態のケース固定構造１０によれば、固定金具１３が、ガイド部１１に沿ってスライドしている最中に可撓性係止爪部１２の突起１２ａが通過する溝部１３ｃを有している。
このため、突起１２ａが溝部１３ｃを通過している間は、突起１２ａと固定金具１３とが干渉しないため、より確実に削り屑が発生することを防止することができる。
【００２９】
また、本実施形態のケース固定構造１０によれば、固定金具１３が、作業者が把持可能な把持部１３ｂを有し、当該把持部１３ｂを形成するために湾曲された湾曲領域Ｒに補強リブ１３ｄを備えている。
このため、固定金具１３をガイド部１１間においてスライドさせる作業が簡便となり、更には、固定金具１３が変形することを抑止することができる。
【００３０】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の主旨から逸脱しない範囲において設計要求等に基づき種々変更可能である。                     
【００３１】
例えば、上記実施形態においては、ケース３が下側ケース３ａと上側ケース３ｂとに分割可能とされ、下側ケース３ａと上側ケース３ｂとの間の隙間によってスリット１５が形成される構成について説明した。
しかしながら、本発明はこれに限定されるものではなく、ケースが電子回路基板２の出し入れ口を除いて一体的に形成され、このケースに対してスリット及び可撓性係止爪部を設けるようにしても良い。
【００３２】
また、上記実施形態においては、可撓性係止爪部１２が下側ケース３ａに一体的に設けられた構成について説明した。
しかしながら、本発明はこれに限定されるものではなく、可撓性係止爪部を上側ケースに一体的に設け、下方から固定金具をガイド部間に挿入する構成を採用することもできる。
【００３３】
また、上記実施形態においては、固定金具１３において、溝部１３ｃと補強リブ１３ｄとが表裏一体で設けられている構成について説明した。
しかしながら、本発明はこれに限定されるものではなく、固定金具１３に対して、溝部１３ｃのみ、あるいは、補強リブ１３ｄのみを形成しても良い。
【符号の説明】
【００３４】
１０……ケース固定構造、１１……ガイド部、１２……可撓性係止爪部、１２ａ……突起、１３……固定金具、１３ａ……スライド部、１３ｂ……把持部、１３ｃ……溝部、１３ｄ……補強リブ、１４……係止穴、１５……スリット、１６……凹部
【図１】
2012062009.tif 000003
【図２】
2012062009.tif 000004
【図３】
2012062009.tif 000005
【図４】
2012062009.tif 000006